(57)【要約】【課題】実際の様々な使用環境において最も望ましい表示性能が得られるように光学フィルムを選択することが可能な光学フィルム選択装置等を提供する。【解決手段】二次元画像を表示する表示面の前面側に光学フィルム１３が配置される画像表示部１０に対し、光学フィルム１３の種類を選択するための光学フィルム選択装置１００であって、画像表示部１０の表示側周辺の物体像を検出する光学センサ２０と、光学センサ２０の検出結果に応じて、それぞれ光学特性が異なる複数の光学フィルムの中からいずれかの光学フィルムを選択するフィルム選択手段と、を備えた。【選択図】図３
2008076613.tif 000002
【特許請求の範囲】
【請求項１】
二次元画像を表示する表示面の前面側に光学フィルムが配置される画像表示部に対し、前記光学フィルムの種類を選択するための光学フィルム選択装置であって、
前記画像表示部の表示側周辺の輝度分布を検出する光学センサと、
前記光学センサの検出結果に応じて、それぞれ光学特性が異なる複数の光学フィルムの中からいずれかの光学フィルムを選択するフィルム選択手段と、
を備えたことを特徴とする光学フィルム選択装置。
【請求項２】
請求項１記載の光学フィルム選択装置であって、
前記複数の光学フィルムが、互いに端部同士を連結した連続シートであり、該連続シートの前記画像表示部に対する相対位置を変更するフィルム駆動機構を備えたことを特徴とする光学フィルム選択装置。
【請求項３】
請求項１又は請求項２記載の光学フィルム選択装置であって、
前記光学特性が鏡面反射率特性を含むことを特徴とする光学フィルム選択装置。
【請求項４】
請求項１〜請求項３のいずれか１項記載の光学フィルム選択装置であって、
前記光学特性が前記光学フィルム内における光の内部散乱特性を含むことを特徴とする光学フィルム選択装置。
【請求項５】
請求項１〜請求項４のいずれか１項記載の光学フィルム選択装置であって、
前記光学センサが魚眼レンズを介して二次元画像を撮影するものであることを特徴とする光学フィルム選択装置。
【請求項６】
二次元画像を表示する表示面の前面側に光学フィルムが配置される画像表示装置であって、
前記画像表示部の表示側周辺の輝度分布に応じて、それぞれ光学特性が異なる複数の光学フィルムの中からいずれかの光学フィルムを選択するフィルム選択手段と、
前記選択された光学フィルムを前記表示面の前面側に配置させるフィルム駆動部と、
を備えたことを特徴とする画像表示装置。
【請求項７】
二次元画像を表示する表示面の前面側に光学フィルムが配置される画像表示部に対し、前記光学フィルムの種類を選択するための光学フィルム選択方法であって、
前記画像表示部の表示側周辺の輝度分布情報を取得し、
前記輝度分布情報に基づいて人物が存在する人物方位を検出すると共に、前記人物方位から前記人物に対する前記表示面の正反射方位を検出し、
前記正反射方位と、該正反射方位の領域に対する前記輝度情報とに基づいて、光学特性の異なる複数の光学フィルムの中から、いずれかの光学フィルムを選択することを特徴とする光学フィルム選択方法。
【請求項８】
請求項７記載の光学フィルム選択方法であって、
選択対象となる光学フィルムとして、少なくとも光反射率特性が互いに異なる複数の光学フィルムが存在する場合に、
検出された前記輝度情報から前記正反射方位に対応する領域の輝度パラメータを所定の閾値と比較して、
前記輝度パラメータが前記閾値以上である場合には、鏡面反射率の小さい第１の光学フィルムを選択し、
前記輝度パラメータが前記閾値より小さい場合には、前記第１の光学フィルムよりも鏡面反射率の大きい第２の光学フィルムを選択することを特徴とする光学フィルム選択方法。
【請求項９】
請求項７記載の光学フィルム選択方法であって、
選択対象となる光学フィルムとして、少なくとも光の内部散乱特性が互いに異なる複数の光学フィルムが存在する場合に、
検出された前記輝度情報から前記人物が存在する水平方向角度を所定の閾値と比較して、
前記水平方向角度が前記閾値以上である場合には、内部散乱特性が大きい第１の光学フィルムを選択し、
前記水平方向角度が前記閾値より小さい場合には、前記第１の光学フィルムよりも内部散乱特性が小さい第２の光学フィルムを選択することを特徴とする光学フィルム選択方法。
【請求項１０】
二次元画像を表示する表示面の前面側に光学フィルムが配置される画像表示部に対し、前記光学フィルムの種類を選択するための、コンピュータで実行可能な光学フィルム選択プログラムであって、
前記画像表示部の表示側周辺の輝度分布情報を取得するステップと、
前記輝度分布情報に基づいて人物が存在する第１の方位を検出すると共に、前記第１の方位から前記人物に対する前記表示面の正反射方位を検出するステップと、
前記正反射方位と、該正反射方位の領域に対する前記輝度情報とに基づいて、光学特性の異なる複数の光学フィルムの中から、いずれかの光学フィルムを選択するステップと、
を実行させるプログラム。
【発明の詳細な説明】
【技術分野】
【０００１】
本発明は、様々なディスプレイ装置に設けられる平面状の表示面の前面に配置される光学フィルムの種類を自動的に選択するための光学フィルム選択技術に関する。
【背景技術】
【０００２】
例えば、コンピュータ用のディスプレイや、テレビモニタ装置などに用いられる液晶ディスプレイのような画像表示装置においては、より望ましい表示性能を実現するために、最近では表示面の前面に光学フィルムが貼り付けられている場合が多い。また、画像表示装置の購入後に利用者が必要に応じて光学フィルムを貼り付ける場合も多い。
例えば、コンピュータ用のディスプレイの画面の鏡面反射率が大きい場合には、鏡と同様に画面前方に位置する物体等から出た光が像（ノイズ）として画面に映り込むので、画面の表示情報が読み取りにくくなる。そこで、表示情報の読み取り性を改善にするために、画面からの光の反射を抑制する反射防止加工を施したり、画面に光学フィルムを貼り付けることが一般に行われている。また、一般的に液晶ディスプレイにおいては、正常に観察できる範囲（視野角）が狭いという特性を有しているが、特殊な機能を有する光学フィルムを画面に貼り付けることにより、光学特性を補償し、表示特性の視野角を広くすることができる。
【０００３】
特許文献１には、使用者の存在位置とディスプレイとの位置関係が変化しても最適な状態で表示内容が見えるように、ＣＣＤカメラを用いて使用者の位置を検出し、ディスプレイの画面の向きを回転して自動的に調整することが開示されている。
【特許文献１】特開２００１−２３６０２３号公報
【発明の開示】
【発明が解決しようとする課題】
【０００４】
ところで、ディスプレイの画面に貼り付けることが可能な光学フィルムには様々な種類があり、それぞれの光学フィルムは互いに異なる光学特性を有している。しかしながら、様々な種類の光学フィルムの中で特定の光学フィルムが最も優れている訳ではなく、使用環境や表示内容によって適切な光学フィルムは変化する。すなわち、１つの光学特性のみ着目して選択した特定の光学フィルムを使用すると、他の光学特性が犠牲になることがあり、使用者が最適な状態で画面上の像を見ることができない場合が生じ得る。例えば、表面に小さな凹凸を設けることにより外来光の反射を抑制する特性を有する光学フィルムを使用すれば、外来光の像が画面に映り込むことを防止でき、明るい環境下において視認性が大幅に改善される。しかし、その場合には光学フィルムによって画面の光沢がなくなるので、リアリティの高い画像の表示ができなくなる。
【０００５】
また、例えば光がフィルム内部で散乱する特性を有する光学フィルムを使用すれば、表示面の視野角特性を改善することができるので、多数の使用者が画面の表示内容を同時に鑑賞する場合や使用者が画面の正面から少しずれた位置で表示内容を鑑賞するような場合であっても、良好な表示特性が期待できる。しかし、この光学フィルムを用いると正面のコントラストが低下するため、画面の正面に近い位置で一人もしくは少人数の使用者が表示内容を鑑賞するような場合には、最適な光学フィルムではなくなる。
【０００６】
従って、適当な光学フィルムを選択して画面に貼り付けたとしても、常に最適な表示品質で表示内容が見えているとは限らない。従来は、画像表示装置のメーカ側で選択した特定の光学フィルムを貼り付けてから出荷するか、又は使用者が必要に応じて特定の光学フィルムを貼り付けて使用していたので、実際に最適な表示性能が得られているかどうかは定かではなかった。
【０００７】
本発明は、実際の様々な使用環境において、最も望ましい表示性能が得られるように光学フィルムを選択することが可能な光学フィルム選択装置及び画像表示装置並びに光学フィルム選択方法及び光学フィルム選択プログラムを提供することを目的とする。
【課題を解決するための手段】
【０００８】
本発明に係る上記目的は、下記構成により達成される。
（１）  二次元画像を表示する表示面の前面側に光学フィルムが配置される画像表示部に対し、前記光学フィルムの種類を選択するための光学フィルム選択装置であって、
前記画像表示部の表示側周辺の輝度分布を検出する光学センサと、
前記光学センサの検出結果に応じて、それぞれ光学特性が異なる複数の光学フィルムの中からいずれかの光学フィルムを選択するフィルム選択手段と、
を備えたことを特徴とする光学フィルム選択装置。
【０００９】
この光学フィルム選択装置によれば、フィルム選択手段の働きにより、光学センサによって検出された輝度分布に基づいて１つの光学フィルムが自動的に選択される。例えば、周辺の輝度分布を検出することにより、表示面の表示情報を見る使用者の位置と表示面との位置関係を調べたり、使用者の周囲における明るさを調べることができるので、実際の使用環境に合わせて最適な特性を有する光学フィルムを自動的に選択することができる。なお、選択結果については、使用者にメッセージとして通知し、使用者に該当する光学フィルムを貼り付けるように促しても良いし、可能であれば前記選択結果を利用して、選択された特定の光学フィルムを自動的に表示面に貼り付けても良い。
【００１０】
（２）  （１）記載の光学フィルム選択装置であって、
前記複数の光学フィルムが、互いに端部同士を連結した連続シートであり、該連続シートの前記画像表示部に対する相対位置を変更するフィルム駆動機構を備えたことを特徴とする光学フィルム選択装置。
【００１１】
この光学フィルム選択装置によれば、複数の光学フィルムが互いに連結された連続シート状態で存在する場合を想定しており、新たに設けられたフィルム駆動機構がこれらの光学フィルムを駆動する。すなわち、フィルム駆動機構の駆動により各光学フィルムと表示面との相対的な位置関係が変化し、表示面の前面位置に配置される光学フィルムの種類が切り替わる。従って、使用者などが手作業で光学フィルムを張り替える必要はなく、自動的に光学フィルムを交換することができる。例えば、劇場内や屋外のスポーツ施設、あるいは屋外の広告設備などに設置される比較的大型のディスプレイ装置に本発明を適用するような場合には、フィルム駆動機構により自動的に交換することができ、利便性が高められる。
【００１２】
（３）  （１）または（２）記載の光学フィルム選択装置であって、前記光学特性が光反射率特性を含むことを特徴とする光学フィルム選択装置。
【００１３】
この光学フィルム選択装置によれば、実際の使用環境に合わせてより望ましい光反射率特性を有する光学フィルムが自動的に選択される。例えば、使用者の周囲における明るさが所定以上の場合には、外来光の像が表示面に映り込むことを防止することが望ましいので、鏡面反射率が比較的小さい光学フィルムを選択すれば良く、使用者の周囲における明るさが比較的暗い場合には、外来光の像が表示面に映り込む可能性が小さいので、鏡面反射率が比較的大きい光学フィルムであっても構わない。
【００１４】
（４）  （１）〜（３）のいずれか１項記載の光学フィルム選択装置であって、前記光学特性が前記光学フィルム内における光の内部散乱特性を含むことを特徴とする光学フィルム選択装置。
【００１５】
この光学フィルム選択装置によれば、実際の使用環境に合わせて、より望ましい光の内部散乱特性を有する光学フィルムが自動的に選択される。例えば、使用者が表示面の正面から側方へ大きくずれた位置で表示面の表示情報を見るような場合には、表示特性の視野角が比較的狭いと、使用者には表示内容がよく見えなかったり色が変化して見えることになる。そこで、そのような環境においては、光が内部で散乱する特性を有する光学フィルムを選択すればよい。一方、使用者が表示面の正面に近い位置で表示面の表示情報を見ているような場合には、表示特性の視野角が比較的狭い場合であっても、使用者には表示内容がよく見えることになる。そこで、そのような環境においては、光が内部で散乱する特性を有しないか、あるいは散乱の程度が小さい光学フィルムの方がより好ましい。
【００１６】
（５）  （１）〜（４）のいずれか１項記載の光学フィルム選択装置であって、
前記光学センサが魚眼レンズを介して二次元画像を撮影するものであることを特徴とする光学フィルム選択装置。
【００１７】
この光学フィルム選択装置によれば、前記光学センサが魚眼レンズを介して周辺の輝度分布を二次元画像として撮影するので、単に二次元画像を撮影するだけで、広い範囲の輝度分布を一度に検出することができる。
【００１８】
（６）  二次元画像を表示する表示面の前面側に光学フィルムが配置される画像表示装置であって、
前記画像表示部の表示側周辺の輝度分布に応じて、それぞれ光学特性が異なる複数の光学フィルムの中からいずれかの光学フィルムを選択するフィルム選択手段と、
前記選択された光学フィルムを前記表示面の前面側に配置させるフィルム駆動部と、
を備えたことを特徴とする画像表示装置。
【００１９】
この画像表示装置によれば、（１）の発明と同様に、フィルム選択手段の働きにより、前記光学センサによって検出された輝度分布情報に基づいて１つの光学フィルムが自動的に選択される。例えば、画像表示装置の表示側周辺の輝度分布を調べることにより、表示面の表示情報を見る使用者の位置と表示面との位置関係を調べたり、使用者の周囲における明るさを調べることができるので、実際の使用環境に合わせて最適な特性を有する特定の光学フィルムを自動的に選択することができる。
【００２０】
（７）  二次元画像を表示する表示面の前面側に光学フィルムが配置される画像表示部に対し、前記光学フィルムの種類を選択するための光学フィルム選択方法であって、
前記画像表示部の表示側周辺の輝度分布情報を取得し、
前記輝度分布情報に基づいて人物が存在する人物方位を検出すると共に、前記人物方位から前記人物に対する前記表示面の正反射方位を検出し、
前記正反射方位と、該正反射方位の領域に対する前記輝度情報とに基づいて、光学特性の異なる複数の光学フィルムの中から、いずれかの光学フィルムを選択することを特徴とする光学フィルム選択方法。
【００２１】
この光学フィルム選択方法によれば、（１）の発明と同様の結果が得られる。すなわち、前記正反射方位は、人物（使用者）が存在する位置への反射光の導入方向を表しているので、広い視野角に変更する必要があるかどうかを決定することができる。また、正反射方位の近傍における輝度分布を調べることにより、使用者の近傍の明るさを識別し、外来光の映り込みを防止する必要があるかどうかを調べることができる。
【００２２】
（８）  （７）記載の光学フィルム選択方法であって、
選択対象となる光学フィルムとして、少なくとも光反射率特性が互いに異なる複数の光学フィルムが存在する場合に、
検出された前記輝度情報から前記正反射方位に対応する領域の輝度パラメータを所定の閾値と比較して、
前記輝度パラメータが前記閾値以上である場合には、鏡面反射率の小さい第１の光学フィルムを選択し、
前記輝度パラメータが前記閾値より小さい場合には、前記第１の光学フィルムよりも鏡面反射率の大きい第２の光学フィルムを選択することを特徴とする光学フィルム選択方法。
【００２３】
この光学フィルム選択方法によれば、検出された正反射方位に近い領域に関する輝度パラメータを所定の閾値と比較して、前記輝度パラメータが前記閾値以上である場合には、光反射率の小さい第１の光学フィルムを選択するので、比較的周囲が明るい環境において、外来光の画面への映り込みを防止することができる。また、前記輝度パラメータが前記閾値より小さい場合には、第１の光学フィルムよりも光反射率の大きい第２の光学フィルムを選択するので、光沢を有する画面で高品質の情報を表示できる。
【００２４】
（９）  （７）記載の光学フィルム選択方法であって、
選択対象となる光学フィルムとして、少なくとも光の内部散乱特性が互いに異なる複数の光学フィルムが存在する場合に、
検出された前記輝度情報から前記人物が存在する水平方向角度を所定の閾値と比較して、
前記水平方向角度が前記閾値以上である場合には、内部散乱特性が大きい第１の光学フィルムを選択し、
前記水平方向角度が前記閾値より小さい場合には、前記第１の光学フィルムよりも内部散乱特性が小さい第２の光学フィルムを選択することを特徴とする光学フィルム選択方法。
【００２５】
この光学フィルム選択方法によれば、人物が存在する水平方向角度を所定の閾値と比較して、前記水平方向角度が前記閾値以上である場合には、内部散乱特性が大きい第１の光学フィルムを選択するので、表示特性の視野角が広くなり、側方に位置する使用者の位置からでも高品質の表示情報を見ることが可能になる。また、前記水平方向角度が前記閾値より小さい場合には、第１の光学フィルムよりも内部散乱特性が小さい第２の光学フィルムを選択するので、ほぼ中央に位置する使用者の位置からは高品質の表示情報を見ることができる。
【００２６】
（１０）  二次元画像を表示する表示面の前面側に光学フィルムが配置される画像表示部に対し、前記光学フィルムの種類を選択するための、コンピュータで実行可能な光学フィルム選択プログラムであって、
前記画像表示部の表示側周辺の輝度分布情報を取得するステップと、
前記輝度分布情報に基づいて人物が存在する人物方位を検出すると共に、前記人物方位から前記人物に対する前記表示面の正反射方位を検出するステップと、
前記正反射方位と、該正反射方位の領域に対する前記輝度情報とに基づいて、光学特性の異なる複数の光学フィルムの中から、いずれかの光学フィルムを選択するステップと、  を実行させるプログラム。
【００２７】
この光学フィルム選択プログラムによれば、プログラムを所定のコンピュータで読み込んで実行することにより、（１）の発明と同様の結果が得られる。
【発明の効果】
【００２８】
本発明によれば、フィルム選択手段の働きにより、光学センサによって検出された輝度分布に基づいて１つの光学フィルムが自動的に選択される。従って、実際の様々な使用環境において、最も望ましい表示性能が得られるように光学フィルムを選択することが可能になる。
【発明を実施するための最良の形態】
【００２９】
以下に、本発明の光学フィルム選択装置及び画像表示装置並びに光学フィルム選択方法及び光学フィルム選択プログラムの好適な実施の形態について、図面を参照しつつ詳細に説明する。
図１は本実施の形態で用いる画像表示装置の構成例を示す正面図である。図２は図１のＡ−Ａ線断面図、図３は光学フィルム選択装置の主要部の構成を示すブロック図、図４は図１のＢ−Ｂ線断面図である。
図１及び図２に示された画像表示装置１０は、二次元画像を表示するための装置であり、例えばコンピュータ用のディスプレイ、テレビモニタ装置、屋外用あるいは屋内用の広告画像などを表示するための大型ディスプレイなどに用いることを想定している。
【００３０】
この画像表示装置１０は表示パネル１２とそれを支持する表示部筐体１１とを備えている。表示パネル１２としては、例えば液晶表示パネルやプラズマ表示パネルなどのような二次元表示パネルを採用することができる。
【００３１】
また、表示パネル１２の表示側の表面全体を覆うように、その表面に沿って可動光学フィルム１３の一部分が配置されている。可動光学フィルム１３は、互いに光学特性の異なる複数種類の光学フィルムを長手方向（矢印Ｘ方向）の端部同士で互いに連結することにより、段だら状に光学フィルムが接続された長尺の連続シートとして構成してある。
【００３２】
可動光学フィルム１３に用いる光学フィルムは、具体例として、アンチグレア（Anti-Glare：ＡＧ）特性を有するフィルムや、低反射（Low-Reflection：ＬＲ）特性を有するフィルムや、高反射特性を有する（光沢のある）クリアフィルムや、その他、複数の特性を併せ持ったフィルムなどが挙げられ、表示目的等に応じて適宜選択的に利用される。
【００３３】
なお、アンチグレア特性を有するフィルムについては、例えば微少な多数の凹凸をフィルムの表面に形成することにより構成できることが知られている。アンチグレア特性を持たせることにより、照明光や外来光などが表示面で反射する際に分散するため、外来光の画面への映り込みを軽減することができる。
【００３４】
また、低反射特性を有するフィルムについては、例えば互いに屈折率が異なる複数の低反射層をフィルム表面にコーティングすることによって構成できることが知られている。このような構成にすると、表面での反射光量が低減するため、アンチグレア特性と同様に映り込みを低減することができる。さらに低反射特性により黒の締り（低い黒い輝度）まで改善される。
【００３５】
図１及び図２に示すように、可動光学フィルム１３の長手方向の一端及び他端は、それぞれ駆動ローラ１４，１５に連結されてロール状に巻き取られている。可動光学フィルム１３は、駆動ローラ１４，１５に隣接した従動ローラ１６，１７、及び多数のガイドローラ１８に案内されて、表示パネル１２の表面と密着するように位置決めされる。各ガイドローラ１８は、図示しないスプリング等の力により、可動光学フィルム１３を図２中矢印Ｚ方向とは逆の方向に押圧し、可動光学フィルム１３が表示パネル１２の表面と密着する状態を維持している。
【００３６】
また、図１には示していないが、駆動ローラ１４，１５にはそれを駆動するために電気モータ等の駆動機構（図３のフィルム駆動部３２参照）が接続されている。また、従動ローラ１６，１７にはスプリングが連結されており、可動光学フィルム１３を表示パネル１２の表面に所定の張力をもって密着させる力を常時発生している。従って、駆動ローラ１４，１５の一方を所定の方向に駆動したり、双方を同期させつつＴ所定の方向に駆動すれば、可動光学フィルム１３が駆動ローラ１４，１５のいずれか一方に巻き取られて可動光学フィルム１３は表示パネル１２の表面上を移動する。この可動光学フィルム１３の移動方向は、駆動ローラ１４，１５の回転方向を逆にすることで反転させることができる。
【００３７】
つまり、駆動ローラ１４，１５を駆動して可動光学フィルム１３の表示パネル１２に対する位置を変更すれば、表示パネル１２の表面と対向している部分の光学フィルムの種類（光学特性）を切り替えることができる。切り替えの際は、例えば光学フィルムの種類毎に可動光学フィルム１３にマーキング等を設けておき、装置側で可動光学フィルム１３のマーキングをセンサにより検出することで位置決めを行えばよい。なお、駆動ローラ１４，１５を駆動して可動光学フィルム１３を移動させる際に、可動光学フィルム１３が表示パネル１２上の正しい位置を通るように構造上の工夫がある。すなわち、図４に示すように、可動光学フィルム１３の幅方向（矢印Ｙ方向）の一端及び他端は、それぞれ表示部筐体１１に設けられた突起部分１１ａ及び１１ｂで案内され、矢印Ｙ方向に位置ずれしないように規正される。
【００３８】
光学フィルム選択装置１００は、図３に示すように、図１及び図２に示した画像表示装置１０の可動光学フィルム１３の光学特性を選択するために、光学センサとしての二次元イメージセンサ２０と、魚眼レンズ２１と、制御部３１と、フィルム駆動部３２と、選択フィルム記憶部３３とが設けられている。
【００３９】
二次元イメージセンサ２０は、画像表示装置１０の表示情報を見る使用者の周囲環境測定用として設けられ、周辺の明るさの分布状況を把握するために二次元画像を撮影する。また、二次元イメージセンサ２０は表示パネル１２の近傍（図６参照：例えば表示パネル１２のＸ方向中央部）に配置されており、二次元イメージセンサ２０の受光面は、表示パネル１２と同じ方向、すなわち表示パネル１２の面に対して略垂直な方向（Ｚ方向）を向いている。また、二次元イメージセンサ２０の受光面の前面には広角レンズが配置されている。広角レンズとしては、特に魚眼レンズ２１が広範囲を一度に撮影でき、角度情報の扱いも容易である点で好ましい。
【００４０】
これら二次元イメージセンサ２０、魚眼レンズ２１、制御部３１、選択フィルム記憶部３３は、フィルム選択手段を構成している。また、フィルム駆動機構であるフィルム駆動部３２は、前述の駆動ローラ１４，１５に連結された電気モータ等を駆動制御するための電気回路からなる。
【００４１】
制御部３１は、制御用の専用の電子回路もしくはマイクロプロセッサなどで構成されており、予め用意した制御用のアルゴリズムに従って、最適な光学特性の光学フィルムが表示パネル１２の前面に配置されるように様々な制御を実施する。具体的な制御の内容については後で説明する。
【００４２】
選択フィルム記憶部３３は、半導体メモリ等の記憶装置であり、選択可能な光学フィルムの種類を表す情報や、可動光学フィルム１３に関する現在の位置情報、すなわち表示パネル１２と対向する位置に存在する光学フィルムの種類を表す情報を保持するために利用される。
【００４３】
図５に光学フィルム選択装置の動作概要を示すフローチャートを示した。このフローチャートには、制御部３１が実施する主要な処理の概要を示してある。なお、図５に示す処理については、例えば画像表示装置１０の設置したタイミング、或いは主電源が投入された直後など、特定のイベントが発生したタイミングで実施すればよい。
【００４４】
ステップＳ１１では、制御部３１が二次元イメージセンサ２０を制御し、画像表示装置１０の表示情報を見る使用者の周囲環境に関する二次元画像を、魚眼レンズ２１を介して撮影する。この撮影により、例えば、図６に示すように人物４０が表示パネル１２の正面に存在する場合には、図７に示すような二次元画像が撮影される。なお、図６に示す例では、人物４０の上方に照明（蛍光灯など）Ｌが存在している。
【００４５】
ステップＳ１２では、制御部３１がステップＳ１１で二次元イメージセンサ２０から取得した二次元画像を処理して、輝度分布を調べる。そして、基準軸（Ｚ方向）に対する方位（水平方向角度θ、方位角度φ）毎の輝度分布を作成する。
【００４６】
ステップＳ１３では、制御部３１が二次元画像の中から光学フィルムの選択に必要となる鑑賞環境情報を抽出する。
具体的には、まず表示パネル１２の表示情報を見る人物４０を検出し、二次元イメージセンサ２０から人物４０（具体的にはその中心位置又は重心位置：図６中の位置Ｐ(θ０，φ０)に相当）を見た場合の基準軸（Ｚ方向）に対する方位（これを人物方位と称する）、すなわち、水平方向角度θ０、方位角度φ０を検出する。
【００４７】
次に、表示パネル１２における人物４０に対する正反射方位を検出する。この例では正反射方位Ｑ（θＬ、φＬ）は、二次元イメージセンサ２０の位置から人物４０を見たときの人物方位（θ０、φ０）のθ軸原点Ｏに対する点対象位置となる。次に、二次元画像の輝度分布の中で、検出された正反射方位Ｑ（θＬ、φＬ）を中心とする特定の空間範囲（立体角δΩ）の検査領域を抽出し、この検査領域に含まれる全ての画素について輝度の積分値Ｉｍを求める。すなわち、人物４０に反射光をもたらす領域における明るさを表すパラメータとして輝度の積分値Ｉｍが得られる。ここで、上記の空間範囲は、正反射方位Ｑを中心とする所定の方位角度±φの範囲としているが、これに限らず、正反射方位Ｑを中心軸とする半径ｒの空間範囲等を検査領域としてもよい。
【００４８】
ステップＳ１４では、制御部３１がステップＳ１３で得られた情報に基づいて最適な光学フィルムの種別を自動的に選択する。
図８に図５の最適反射防止フィルム決定処理に関する詳細を示すフローチャートを示した。なお、図８に示す処理においては、選択可能な光学フィルムの光学特性として、アンチグレア（ＡＧ）タイプか否か（光沢を有するクリアタイプ）の選択と、内部散乱特性（ＬＲ）を有するタイプか否かの選択とが可能な場合を想定している。以下に最適反射防止フィルム決定処理の具体的な内容について説明する。
【００４９】
ステップＳ２１では、制御部３１は図５のステップＳ１３で得られた鑑賞環境情報、すなわち、輝度の積分値Ｉｍ、人物方位Ｐ（θＬ、φ０）、正反射方位Ｑ（θＬ、φＬ）等の情報を読み込み、更に予め定められた輝度しきい値Ｉｍ_ｓと方位しきい値θｏ_ｓとを読み込む。
【００５０】
ステップＳ２２では、制御部３１がステップＳ２１で読み込んだ輝度の積分値Ｉｍと輝度しきい値Ｉｍ_ｓとを比較する。そして、（Ｉｍ＞Ｉｍ_ｓ）の条件を満たす場合にはステップＳ２４に進み、条件を満たさない場合はステップＳ２３に進む。
【００５１】
ステップＳ２３では、制御部３１は選択すべき光学フィルムの特性として、クリアタイプであることを選択し、ステップＳ２４では、制御部３１は選択すべき光学フィルムの特性として、アンチグレア（ＡＧ）タイプであることを選択する。
【００５２】
ステップＳ２５では、制御部３１はステップＳ２１で読み込んだ人物方位Ｐ（θ０，φ０）の水平方向角度θＬの値としきい値θ０_ｓとを比較する。そして、（θ０＞θ０_ｓ）の条件を満たす場合にはステップＳ２７に進み、条件を満たさない場合はステップＳ２６に進む。
【００５３】
ステップＳ２６では、制御部３１は選択すべき光学フィルムの特性として、内部散乱特性を有するタイプであることを選択し、ステップＳ２７では、制御部３１は選択すべき光学フィルムの特性として、内部散乱特性を有しない（あるいは内部散乱が少ない）タイプであることを選択する。
【００５４】
以上の処理を実施することにより、人物４０が画像表示装置１０の表示内容を鑑賞する場合の実際の使用環境において、使用すべき最も望ましい光学フィルムの種類が判明することになる。
【００５５】
図９に二次元イメージセンサ２０により魚眼レンズ２１を介して撮影した画像の具体例の模式図を示した。
例えば、図９（ａ）に示すように、撮影された二次元画像から、人物４０が表示パネル１２の正面に対して側方にずれた位置に存在し、θ０＞θ０_ｓの条件を満たす場合には、選択すべき光学フィルムの特性として、内部散乱特性を有するタイプが選択される。このような光学フィルムを用いることにより、画像表示装置１０の表示特性の視野角が広くなるので、人物４０の位置から表示パネル１２の表示情報を見る場合でも、高品質の画像を鑑賞できる。
【００５６】
また、例えば人物４０の正反射方位における照明が非常に明るく、Ｉｍ＞Ｉｍ_ｓの条件を満たす場合には、選択すべき光学フィルムの特性として、アンチグレア（ＡＧ）タイプが選択される。このような光学フィルムを用いることにより、画像表示装置１０の表示パネル１２の画面に照明Ｌなどの外来光が映り込むことを防止できる。
【００５７】
なお、表示画面が比較的大型であるような場合には、多数の人物が同時に同じ画面を鑑賞することになるので、二次元イメージセンサ２０によって撮影される画像の中には、例えば図９（ｂ）に示すように多数の人物４０が現れる。このような環境においては、多数の人物４０の領域の略中央位置を人物位置ＰＡ（θ０，φ０）とみなし、この人物位置ＰＡ（θ０，φ０）を中心とする空間範囲の明るさとして前記輝度積分値Ｉｍを求めればよい。
また、多数の人物４０の全員が好ましい状態で表示情報を鑑賞できることが望ましいので、表示特性の視野角を決定するパラメータである人物の水平方向角度θ０については、多数の人物４０の中で最も外側に位置する特定の人物の位置についての方位を人物方位として採用することでもよい。
【００５８】
以上のようにして、最適な光学フィルムの種類が選定された後、表示パネル１２の前面に位置する可動光学フィルム１３を、その最適な光学フィルムの種類に変更する。
前述したように、図３に示す光学フィルム選択装置１００においては、可動光学フィルム１３を電気的な制御で移動することで、表示パネル１２の前面に対向する光学フィルムの種類を切り替えることができる。そこで、図８に示す処理によって望ましい光学フィルムの種類を選択した後、制御部３１は選択した特性の光学フィルムを表示パネル１２と対向する位置に移動させるように自動的に制御する。
【００５９】
実際には、可動光学フィルム１３に含まれている各種光学フィルムの並び順や位置関係に関する情報と、現在の可動光学フィルム１３の状態に関する位置情報が選択フィルム記憶部３３に保持されているので、これらの情報を参照して、新たに選択された特定の光学フィルムの種類が表示パネル１２と対向する位置まで移動するように、駆動ローラ１４又は駆動ローラ１５或いは双方を駆動して、矢印Ｘ方向又はその反対方向に、必要な距離だけ可動光学フィルム１３を移動する。
【００６０】
なお、制御部３１として汎用のコンピュータを使用するような場合には、制御部３１に必要とされる機能（図５及び図８に示された処理に相当）を実現するためのプログラムを、外部の装置やインターネットなどの通信網を経由して読み込んで実行し、制御部３１の機能を実現することもできる。
【００６１】
なお、図３に示す光学フィルム選択装置においては、駆動ローラ１４，１５を駆動することにより、選択された光学フィルムの種類を自動的に切り替える場合を想定しているが、例えば家庭用の画像表示装置のように比較的小型の画像表示装置に本発明を適用する場合には、光学フィルムの最初の装着や張り替えを使用者自身の手作業で行っても良い。その場合、図８に示したような処理によって決定された選択結果を文字や音声などのメッセージ、あるいは説明書きにより使用者に通知する。これにより、使用者は複数種類の光学フィルムの中で現在の使用環境に最適な光学フィルムを知ることができるので、使用環境に合った特定の光学フィルムを画像表示装置の画面に貼り付けて使用することができる。
【００６２】
従って、画像表示装置を販売する際に、例えば光学フィルムを画面に貼り付けない状態で販売すると共に、複数種類の光学フィルムを付属品として装置に添付しておくことも想定される。その場合、使用者は画像表示装置の購入後に、画像表示装置に内蔵された所定の機能を実行したり、上記のようなプログラムを実行することにより、自分の使用環境に適した特定の光学フィルム種を知ることができるので、該当する光学フィルムを画像表示装置の画面に配置して最適な状態で使用することが可能となる。
【００６３】
なお、最適な光学フィルムを表示パネル１２の前面に配置するための手段については、様々な形態を想定することができる。例えば、図１０に示す変形例では、特定の光学特性を有する光学フィルムが予めロール状に巻かれた状態のカートリッジとして使用者に提供される場合を想定している。従って、この場合には、使用者の手作業により、図１０（ａ）に示すようにカートリッジ５０を表示パネル１２周辺部の規定の位置に装着した後、カートリッジ５０から光学フィルム５１の先端５１ａを引き出し、図１０（ｂ）に示すように光学フィルム５１が表示パネル１２の前面に配置されるように装着すればよい。これにより、光学フィルム５１を装着する作業がより簡単になる。
上記のように、最適な光学フィルムを表示パネル１２の前面に配置するための手段については、自動的に行うものから手動にて行うものまで多種多様の構成が考えられ、本発明の主旨から逸脱しない範囲であれば如何なる手段であっても適用が可能である。
【産業上の利用可能性】
【００６４】
以上のように、本発明を適用することにより自動的に選択される光学フィルムを、例えば家庭内で使用されるテレビモニタやコンピュータディスプレイのような画像表示装置や、劇場などで使用されるディスプレイや、屋外の各種施設で使用される大型ディスプレイや、屋外の広告用のディスプレイなどに用いることにより、それぞれの実際の使用環境に合わせて最適な状態で表示内容が見えるように、表示状態を改善することができる。また、大型のディスプレイなどにおいては、所定の駆動機構を用いることにより使用する光学フィルムを自動的に交換することもできるので、時刻の違いや気象条件の変化による明るさの変化や、表示内容を鑑賞する人物の変化などを反映して、最適な表示状態になるように動的に光学フィルムを取り替えることもできる。
【図面の簡単な説明】
【００６５】
【図１】実施の形態で用いる画像表示装置の構成例を示す正面図である。
【図２】図１のＡ−Ａ線断面図である。
【図３】実施の形態の装置の主要部の構成を示すブロック図である。
【図４】図１のＢ−Ｂ線断面図である。
【図５】光学フィルム選択装置の動作概要を示すフローチャートである。
【図６】ある使用環境における各部の位置関係を表す斜視図である。
【図７】図６に示す状況を撮影することによって得られる画像の具体例を示す模式図である。
【図８】図５に示す最適反射防止フィルム決定処理に関する詳細を示すフローチャートである。
【図９】撮影によって得られる画像の他の具体例を示す模式図（ａ），（ｂ）である。
【図１０】光学フィルムの支持構造に関する変形例を示す模式図（ａ），（ｂ）である。
【符号の説明】
【００６６】
１０  画像表示装置
１１  表示部筐体
１２  表示パネル
１３  可動光学フィルム
１４  駆動ローラ
１５  従動ローラ
１６，１７，１８  ガイドローラ
２０  二次元イメージセンサ
２１  魚眼レンズ
３１  制御部
３２  フィルム駆動部
３３  選択フィルム記憶部
４０  人物
５０  カートリッジ
５１  光学フィルム
１００  光学フィルム選択装置
【図１】
2008076613.tif 000003
【図２】
2008076613.tif 000004
【図３】
2008076613.tif 000005
【図４】
2008076613.tif 000006
【図５】
2008076613.tif 000007
【図６】
2008076613.tif 000008
【図７】
2008076613.tif 000009
【図８】
2008076613.tif 000010
【図９】
2008076613.tif 000011
【図１０】
2008076613.tif 000012